(57)【要約】【課題】コネクタが大きいとワイヤハーネスの本体の周囲に固定する作業が困難になる。【解決手段】ワイヤハーネスに付設されるワイヤハーネス用コネクタが複数個の単位コネクタＣ１〜Ｃ４に分割され、各単位コネクタＣ１〜Ｃ４のコネクタ端子がフレキシブル配線材３０により電気的に接続される。各単位コネクタＣ１〜Ｃ４の絶縁ハウジング２０には、コネクタ端子とフレキシブル配線材３０との接続部位を覆うカバー４０が装着される。各絶縁ハウジング２０は補強用リブ２１を有し、この補強用リブ２１は、絶縁ハウジング２０の係止部からカバー４０が外れる原因となる当該絶縁ハウジング２０の曲げ変形を抑制する。【選択図】図１
2008108658.tif 000002
【特許請求の範囲】
【請求項１】
ワイヤハーネスの周囲に巻付け可能なワイヤハーネス用コネクタであって、
互いに平行に配される複数本のコネクタ端子及びこれらのコネクタ端子を保持する絶縁ハウジングを有する複数個の単位コネクタと、
これらの単位コネクタが前記各コネクタ端子の配列方向と平行な方向に配列された状態で当該各単位コネクタに含まれるコネクタ端子同士を電気的に接続するように当該単位コネクタの配列方向に延び、かつ、その長手方向と直交する方向でかつ前記コネクタ端子の軸方向と直交する厚み方向に曲げ変形可能なフレキシブル配線材と、
前記各単位コネクタのコネクタ端子と前記フレキシブル配線材との接続部位を覆うように前記各絶縁ハウジングに装着されるカバーとを備え、
前記各単位コネクタの絶縁ハウジングは、前記各コネクタ端子の特定部位を保持する端子保持部と、前記各コネクタ端子の前記特定部位以外の部位であって前記フレキシブル配線材に接続される部位を囲む形状を有し、前記カバーが被着される枠部と、前記カバーを係止する係止部と、前記枠部の特定部位から前記フレキシブル配線材の厚み方向と平行な方向に突出し、前記カバーが前記係止部から離脱する向きに当該カバーを変位させるように前記枠部が前記コネクタ端子の軸方向及び配列方向の双方と直交する方向に曲げ変形するのを抑制する形状をもつ補強用リブとを一体に有し、
前記フレキシブル配線材の曲げ変形を伴って、前記各絶縁ハウジングが前記ワイヤハーネスの本体の周方向に並ぶ姿勢で当該ワイヤハーネスの周囲に巻付けられることを特徴とするワイヤハーネス用コネクタ。
【請求項２】
請求項１記載のワイヤハーネス用コネクタにおいて、
前記絶縁ハウジングは、前記係止部として、前記枠部から前記補強用リブが突出する側と同じ側で前記カバーの前記端子保持部側の端部を係止する端子保持部側係止部と、この端子保持部側係止部から前記端子保持部と反対の側に離れた位置で前記枠部側に前記カバーを係止する枠部側係止部とを含み、
前記補強用リブは、少なくとも前記端子保持部側係止部と前記枠部側係止部との間の領域内に存在して当該領域内で前記コネクタ端子の軸方向と平行な方向に延び、かつ、この領域内での前記補強用リブの長さ寸法が当該領域の長さの１／２以上であることを特徴とするワイヤハーネス用コネクタ。
【発明の詳細な説明】
【技術分野】
【０００１】
本発明は、自動車等に配索されるワイヤハーネスに巻き付け状態で固定されるワイヤハーネス用コネクタに関するものである。
【背景技術】
【０００２】
従来、ワイヤハーネスに含まれる電線の端末に設けられたコネクタや、そのワイヤハーネス側コネクタに結合されるコネクタ（例えば複数のワイヤハーネス側コネクタに含まれるコネクタ端子同士を接続するジョイントコネクタ）は、その多くが、当該コネクタと前記ワイヤハーネスの本体部分とに粘着テープを巻き付ける方法によって当該ワイヤハーネス本体部分に固定されている。
【０００３】
例えば、下記特許文献１の図５及び図６は、ワイヤハーネスに含まれる複数の電線同士を電気的に接続するために当該電線の端末に設けられたジョイントコネクタがテープ巻によって前記ワイヤハーネスの本体部分に固定されるものを開示している。
【特許文献１】特開平８−７９９４８号公報
【発明の開示】
【発明が解決しようとする課題】
【０００４】
前記特許文献１に記載されるジョイントコネクタにおいて、その端子の数が多くなると、これらの端子を保持する絶縁ハウジングが大きくなり、この絶縁ハウジングをワイヤハーネスの本体の周囲にテープ巻きで固定する作業が難しくなる。また、固定できたとしても、前記ワイヤハーネス本体の外周面から前記絶縁ハウジングが突出する寸法が大きくなり、この絶縁ハウジングが配線作業等の邪魔になるおそれがある。
【０００５】
このような絶縁ハウジングの大型化を回避する手段として、前記ジョイントコネクタを複数個の単位コネクタに分割することが考えられるが、その場合、これらの単位コネクタに含まれる端子同士を別の配線材で接続する必要があり、構造の複雑化は必至である。従って、当該配線材自体の構造及び当該配線材と各コネクタ端子との接続構造をいかに簡略化するかが大きな課題となる。
【０００６】
その一方、前記配線材を用いる場合に当該配線材と各端子との接続部位の保護も求められる。
【０００７】
本発明は、このような事情に鑑み、コンパクトな構造で取扱いが容易であり、かつ、各端子と配線材との接続部位を有効に保護することが可能なワイヤハーネス用コネクタの提供を目的とする。
【課題を解決するための手段】
【０００８】
前記課題を解決するための手段として、本発明は、ワイヤハーネスの周囲に巻付け可能なワイヤハーネス用コネクタであって、互いに平行に配される複数本のコネクタ端子及びこれらのコネクタ端子を保持する絶縁ハウジングを有する複数個の単位コネクタと、これらの単位コネクタが前記各コネクタ端子の配列方向と平行な方向に配列された状態で当該各単位コネクタに含まれるコネクタ端子同士を電気的に接続するように当該単位コネクタの配列方向に延び、かつ、その長手方向と直交する方向でかつ前記コネクタ端子の軸方向と直交する厚み方向に曲げ変形可能なフレキシブル配線材と、前記各単位コネクタのコネクタ端子と前記フレキシブル配線材との接続部位を覆うように前記各絶縁ハウジングに装着されるカバーとを備え、前記各単位コネクタの絶縁ハウジングは、前記各コネクタ端子の特定部位を保持する端子保持部と、前記各コネクタ端子の前記特定部位以外の部位であって前記フレキシブル配線材に接続される部位を囲む形状を有し、前記カバーが被着される枠部と、前記カバーを係止する係止部と、前記枠部の特定部位から前記フレキシブル配線材の厚み方向と平行な方向に突出し、前記カバーが前記係止部から離脱する向きに当該カバーを変位させるように前記枠部が前記コネクタ端子の軸方向と配列方向の双方に直交する方向に曲げ変形するのを抑制する形状をもつ補強用リブとを一体に有し、前記フレキシブル配線材の曲げ変形を伴って前記各絶縁ハウジングが前記ワイヤハーネスの本体の周方向に並ぶ姿勢で当該ワイヤハーネスの周囲に巻付けられるものである。
【０００９】
このワイヤハーネス用コネクタは、それぞれが絶縁ハウジングを有する複数個の単位コネクタに分割されているので、単一の絶縁ハウジングのみを具備するコネクタに比べ、各単位コネクタの絶縁ハウジングの小型化が可能である。しかも、各単位コネクタのコネクタ端子は、前記絶縁ハウジングの枠部の内側の領域で前記フレキシブル配線材の導体と交差する位置で接続され、かつ、このフレキシブル配線材の曲げ変形がワイヤハーネス本体の周囲へのコネクタの巻付けを可能にする。
【００１０】
さらに、前記コネクタ端子と前記フレキシブル配線材の導体との接続箇所は、絶縁ハウジングに装着されるカバーによって覆われることにより、外部から保護される。このカバーは、当該カバーが被着される前記枠部の曲げ変形に伴って変位しやすく、その変位が大きいと当該カバーが絶縁ハウジング側の係止部から外れるおそれがあるが、この枠部には補強用リブが突設され、この補強用リブが、前記カバーが前記係止部から離脱する向きに当該カバーを変位させるように前記枠部が前記コネクタ端子の軸方向と配列方向の双方に直交する方向に曲げ変形するのを抑制するので、当該枠部の曲げ変形に起因する前記係止部からの前記カバーの離脱が有効に防がれる。
【００１１】
前記補強用リブの形状や大きさは適宜設定可能である。前記絶縁ハウジングが、前記係止部として、前記枠部を境として前記補強用リブと同じ側で前記カバーの前記端子保持部側の端部を係止する端子保持部側係止部と、この端子保持部側係止部から前記端子保持部と反対の側に離れた位置で前記枠部側に前記カバーを係止する枠部側係止部とを有するものにおいては、前記補強用リブは、少なくとも前記端子保持部側係止部と前記枠部側係止部との間の領域内で前記コネクタ端子の軸方向と平行な方向に延び、かつ、同方向について前記領域内での前記補強用リブの長さ寸法が前記領域の長さの１／２以上であることが、好ましい。この補強用リブは、前記両係止部間での枠部の曲げ変形を有効に抑制することにより、当該曲げ変形に起因する前記各係止部からの前記カバーの離脱を効果的に抑止することができる。
【発明を実施するための最良の形態】
【００１２】
本発明の好ましい実施の形態を、図面を参照しながら説明する。
【００１３】
図１〜図１０に示すワイヤハーネス用コネクタは、図１１に示されるワイヤハーネス５０に含まれる電線同士を電気的に接続するためのジョイントコネクタとして用いられるものである。
【００１４】
このコネクタは、４つの単位コネクタＣ１，Ｃ２，Ｃ３，Ｃ４を含み、これらの単位コネクタＣ１〜Ｃ４が一体に連結され、かつ相互に電気的に接続されている。
【００１５】
前記各単位コネクタＣ１〜Ｃ４は、図４及び図５に示すような複数本（図例では５本）のピン状のコネクタ端子１０と、これらのコネクタ端子１０を保持する絶縁ハウジング２０と、フレキシブル配線材３０と、カバー４０とを備えている。
【００１６】
前記各コネクタ端子１０は、その軸方向と略直交する方向（幅方向）に互いに平行な姿勢で配列されている。各絶縁ハウジング２０も、その軸方向（すなわち前記コネクタ端子１０の軸方向と平行な方向）と直交する方向に配列されている。そして、各単位コネクタに含まれるコネクタ端子１０が当該単位コネクタ同士の間でフレキシブル配線材３０を介して電気的に相互接続され、かつ、隣接する単位コネクタの絶縁ハウジング２０同士がハウジング連結部２６Ａ，２６Ｂにより一体に連結されている。これらのハウジング連結部２６Ａ，２６Ｂは、間隙２８をおいて前記絶縁ハウジング２０の軸方向に並ぶ前後位置に形成されている。これらのハウジング連結部２６Ａ，２６Ｂは、本発明において必須のものではなく、その詳細は後述する。
【００１７】
図５（ａ）〜（ｃ）に示されるように、前記各単位コネクタに含まれるコネクタ端子１０の軸方向前側部分（同図（ａ）（ｂ）では左側部分、同図（ｃ）では下側部分）は、相手方雌端子の電気接続部に嵌入可能な電気接続タブ１２であり、軸方向後側部分（同図（ａ）（ｂ）では右側部分、同図（ｃ）では上側部分）は、前記フレキシブル配線材３０に接続される配線材接続部１４であり、これら電気接続タブ１２と配線材接続部１４との間には幅広の鍔部１６が介在している。これらコネクタ端子１０は、その軸方向と直交するコネクタ幅方向に並ぶ配列で前記絶縁ハウジング２０に保持されている。
【００１８】
なお、本発明では各コネクタ端子の具体的形状や雄雌の別を問わない。これらの要素はコネクタの使用箇所に応じて任意に設定される。
【００１９】
各絶縁ハウジング２０の軸方向前側部分は、相手方コネクタのコネクタハウジングが進入可能な形状をもつフード２２であり、軸方向後側部分は前記フード２２の奥壁から後方に延びる中空の枠部である配線材保持部２４である。そして、これらフード２２と配線材保持部２４との間に図４（ａ）に示すような端子保持部２５が位置している。
【００２０】
この端子保持部２５は、この端子保持部２５に前記各コネクタ端子１０の特定部位（図例では軸方向中間部位）が圧入された状態で当該中間部位を保持するものである。この端子保持部２５により保持された各コネクタ端子１０のうち、前記電気接続タブ１２は前記フード２２内に突出してこのフード２２により外側から囲まれる。一方、前記配線材接続部１４は前記配線材保持部２４のすぐ下方の位置でこの枠部である配線材保持部２４の内側の領域内で整列している。
【００２１】
前記配線材保持部２４の前側部分（端子保持部２５側の根元部分）及び後側部分の下面には、それぞれ、図６に示すようにコネクタ幅方向に並ぶ複数の端子保持溝２４ｄ，２４ｅが形成され、これらの端子保持溝２４ｄ，２４ｅにそれぞれ前記各コネクタ端子１０の配線材接続部１４が嵌まり込む。
【００２２】
前記フレキシブル配線材３０は、図５（ｃ）に示すような薄肉のフラット配線材により構成され、このフラット配線材は、２本の第１の導体３１及び３本の第２の導体３２と、これらの導体３１，３２を覆う絶縁層３４とを備える。
【００２３】
前記各導体３１，３２は、偏平で薄肉の形状（例えば平型形状）をなし、これらの導体３１，３２が互いに平行な姿勢でその肉厚方向と直交する幅方向に配列されている。そして、これらの導体３１，３２を表裏両側から覆うように前記絶縁層３４が成形されることにより、全体が一体化され、かつ、その厚み方向に曲げ変形することが可能なフレキシブル配線材３０が形成されている。
【００２４】
前記導体３１，３２のうち、両第１の導体３１はフレキシブル配線材３０の幅方向両外側の位置に配線され、前記第２の導体３２は両第１の導体３１の内側に配線されている。
【００２５】
表裏両側の前記絶縁層３４の適所には、この絶縁層３４を貫通する窓３４ａが形成されている。これらの窓３４ａは、前記各導体３１，３２とこれらの導体３１，３２に接続されるべき前記コネクタ端子１０の配線材接続部１４とが交差する位置に形成され、その位置で前記各導体３１，３２を部分的に絶縁層３４の外側に露出させる。
【００２６】
なお、本発明は前記フレキシブル配線材３０の具体的な構造は問わない。例えば、前記フレキシブル配線材がフレキシブルプリント回路（ＦＰＣ）やリボン電線、あるいは複数本の絶縁電線を単に配列しただけのものであってもよい。ただし、図示のようなフラット配線材は、その構造が簡単で取扱いが容易であるという利点をもつ。
【００２７】
図示のフレキシブル配線材３０は、前記窓３４ａが形成された位置で前記各導体３１，３２とこれらの導体３１，３２にそれぞれ対応する配線材接続部１４とが前記配線材保持部２４の内側の領域で交差するように配線され、その交差位置で導体３１，３２と配線材接続部１４とが相互に溶接されて電気的に接続される。この溶接及び電気的接続は、例えば、一対の溶接用電極のうちの一方の電極を前記交差位置で前記フレキシブル配線材３０の下側の窓３４ａを通じて前記導体３１，３２にあてがい、他方の電極を前記配線材保持部２４の内側空間を通じて前記交差部分における配線材接続部１４にあてがって、両電極間に必要な電圧を印加する、という方法により実現することが可能である。
【００２８】
さらに、前記配線材保持部２４のコネクタ幅方向両側部分（すなわちコネクタ端子１０よりも幅方向両外側に位置する部分）の下面からは、それぞれ、前後一対（配線材幅方向に並ぶ一対）の係止軸２７が下向きに突出する一方、前記フレキシブル配線材３０の第１の導体３１及びこれを覆う絶縁層３４にはこれらを厚み方向に貫通する貫通孔３７が設けられ、これらの貫通孔３７にそれぞれ前記係止軸２７が上から挿通可能となるように当該貫通孔３７及び係止軸２７の位置及び断面形状が設定されている。
【００２９】
具体的に、前記係止軸２７及び貫通孔３７の位置は、前記両第１の導体３１に対応する位置であって、当該係止軸２７が貫通孔３７に挿通されることにより、前記コネクタ端子１０を保持する位置よりも隣接する単位コネクタに近い位置で絶縁ハウジング２０側に前記フレキシブル配線材３０が係止される位置となっている。また、前記貫通孔３７及びこれに挿通される係止軸２７の断面形状は、第１の導体３１の長手方向と平行な方向の寸法（コネクタ幅方向の寸法）が当該導体の幅方向と平行な方向の寸法（コネクタ軸方向の寸法）よりも大きい形状（図例では略小判形状）である。また、前記第１の導体３１は、前記貫通孔３７の形成による断面積の減少を補うべく前記第２の導体３２よりも大きな幅を有する。
【００３０】
前記カバー４０は、前記各コネクタ端子１０の配線材接続部１４と前記フレキシブル配線材３０の導体３１，３２との接続部分を当該コネクタ端子１０側とフレキシブル配線材３０側の双方から覆うように前記配線材保持部２４に被着される形状を有している。具体的には、前記接続部分をフレキシブル配線材３０側から覆う配線材側被覆部４２と、前記接続部分をコネクタ端子１０側から覆う端子側被覆部４４と、両被覆部４２，４４をつなぐ薄肉のヒンジ部４６とを一体に有し、このヒンジ部４６の撓み変形を伴って両被覆部４２，４４が開閉可能となっている。
【００３１】
図４（ａ）及び図９，図１０に示すように、前記配線材側被覆部４２のヒンジ部４６寄りの端壁には内向きの突起４２ａが形成され、これに対応して配線材保持部２４の後端部（同図右端部）には前記突起４２ａが嵌まり込む係止凹部２４ａが形成されている。同様に、前記配線材側被覆部４２及び端子側被覆部４４の外側端部（ヒンジ部４６と反対側の端部）にはそれぞれ被係止部として外向きの突起４２ｂ，４４ａが形成される一方、絶縁ハウジング２０の端子保持部２５には、前記突起４２ｂ，４４ａがそれぞれ嵌まり込む係止孔２５ｂ，２５ａが形成されている。そして、前記各突起４２ａ，４２ｂ，４４ａと係止凹部２４ａ及び係止孔２５ｂ，２５ａとの係合によってカバー４０が絶縁ハウジング２０に着脱可能に係止されるようになっている。従って、前記係止部２５ａは、枠部である配線材保持部２４を境として後述の補強用リブ２１と同じ側（図７では上側）で前記カバー４０のうちの端子保持部２５側の端部を係止するための端子保持部側係止部に相当している。
【００３２】
ここで、前記係止孔２５ａ，２５ｂは、前記コネクタ端子１０の軸方向に直交する方向でかつ単位コネクタＣ１〜Ｃ４の配列方向と直交する方向から見て、前記枠部である前記配線材保持部２４の領域内にあり、詳しくは当該配線材保持部２４の根元部分（端子保持部２５寄りの部分）に位置している。そして、これらの係止孔２５ａ，２５ｂが形成された部分の左右両外側の位置で、前記配線材保持部２４の根元部分の外縁部から上方に補強用リブ２１が突出している。これらの補強用リブ２１は、前記端子保持部２５から絶縁ハウジング２０の後端側に向かってその途中位置まで前記コネクタ端子１０の軸方向と平行な方向に延び、前記配線材保持部２４の根元部分の曲げ変形、特に、絶縁ハウジングの幅方向すなわち前記コネクタ端子１０の配列方向と直交する方向でかつ当該コネクタ端子１０の軸方向と直交する方向の曲げ変形を抑制する形状を有している。
【００３３】
この実施の形態において、前記補強用リブ２１は前記フード２２と連続し、当該補強用リブ２１の上面の高さ位置は前記絶縁ハウジング２０に装着されるカバー４０の上面の高さ位置とほぼ合致している。また、前記配線材保持部２４の内周縁にも上方に突出するリブ２４ｆが形成されている。
【００３４】
前記配線材保持部２４の後端側部分は前記の根元側部分よりもコネクタ幅方向に膨出している。この膨出部分は前記補強用リブ２１の後端から離間している。
【００３５】
なお、前記カバー４０の端子側被覆部４４の左右両縁部には、前記補強用リブ２１を回避する形状の凹み部４４ｆが形成されている。
【００３６】
また、前記配線材側被覆部４２及び前記端子側被覆部４４における前記突起４２ｂ，４４ａの近傍部位には、それぞれ、幅方向に延びる貫通長孔４２ｄ，４４ｄが形成されている。これらの貫通長孔４２ｄ，４４ｄは、前記突起４２ｂ，４４ａが形成されているカバー４０の端部に薄肉部分４２ｅ，４４ｅを形成するためのもので、これら薄肉部分４２ｅ，４４ｅの撓み変形により、前記係止孔２５ｂ，２５ａと係合する際の当該突起４２ｂ，４４ａの変位が促進される。
【００３７】
また、端子側被覆部４４の裏面からは被係止片４４ｂが突出し、この被係止片４４ｂの先端部分が前記配線材保持部２４の枠内側に形成された係止穴２４ｂ（図６及び図８）の周縁に係合することによっても、カバー４０の係止が行われる。この係止穴２４ｂの周縁は、枠部である配線材保持部２４側でカバー４０を係止する枠部側係止部に相当する。
【００３８】
ここで、図８に示すように、前記端子保持部側係止部である係止孔２５ａと前記枠部側係止部である係止穴２４ｂとの間の領域Ｌ′における前記補強用リブ２１の長さ寸法Ｌは、当該領域の長さの１／２以上に設定されている。
【００３９】
前記端子側被覆部４４の裏面（図４（ａ）（ｂ）に示す装着状態では下面）からは下方に複数本の突条４５が突出している。これらの突条４５は、前記コネクタ端子１０の軸方向と平行な方向に延び、かつ、これらコネクタ端子１０の配線材接続部１４同士の間に介在して当該配線材接続部１４同士を隔離する位置に形成されるとともに、この先端がフレキシブル配線材３０を配線材側被覆部４２の裏面に押え込むように各突条４５の突出量が設定されている。
【００４０】
前記ハウジング連結部２６Ａ，２６Ｂは、前記単位コネクタＣ１〜Ｃ４のうち、互いに隣接する単位コネクタ（例えば単位コネクタＣ１と単位コネクタＣ２）の絶縁ハウジング２０同士の間に存在している。これらのハウジング連結部２６Ａ，２６Ｂは、前記フレキシブル配線材３０よりも上側（後述の巻き付け状態ではフレキシブル配線材３０よりも外側となる位置）にあって、前記絶縁ハウジング２０同士を連結するようにこれらの絶縁ハウジング２０と一体に成形されている。
【００４１】
これらのハウジング連結部２６Ａ，２６Ｂは、薄板状に形成されている。その肉厚は、当該肉厚方向、すなわち、前記絶縁ハウジング２０の配列方向と直交しかつ前記コネクタ端子１０の軸方向と直交する方向（図１（ｂ）の上下方向）に曲げ変形可能となる程度まで小さく設定されている。また、これらハウジング連結部２６Ａ，２６Ｂ同士の間には、排水用の間隙２８が確保されている。
【００４２】
次に、このワイヤハーネス用ジョイントコネクタの組立手順及び使用要領の一例を説明する。
【００４３】
１）前記ハウジング連結部２６Ａ，２６Ｂにより相互連結された各絶縁ハウジング２０の端子保持部２５に前記コネクタ端子１０が圧入されることにより、当該端子保持部２５が当該コネクタ端子１０を保持する状態が形成される。これにより単位コネクタＣ１，Ｃ２，Ｃ３，Ｃ４が完成する。
【００４４】
２）フレキシブル配線材３０の第１の導体３１およびこれを覆う絶縁層３４の適所に貫通孔３７が設けられる。また、絶縁層３４の局所的な除去によって、導体３１，３２の適当な部分を露出させる窓３４ａが形成される。
【００４５】
３）前記貫通孔３７への前記各絶縁ハウジング２０の係止軸２７の挿通により、絶縁ハウジング２０に対するフレキシブル配線材３０の相対位置が固定される。この位置で、前記導体３１，３２は前記窓３４ａの存在箇所で前記コネクタ端子１０の配線材接続部１４と交差する。
【００４６】
４）前記交差位置で各導体３１，３２と配線材接続部１４とが接続される。具体的には、前記配線材保持部２４の枠内側空間を通じて前記交差部分の配線材接続部１４に上側から電極があてがわれ、下側の窓３４ａを通じて前記交差部分の導体３１，３２に前記電極と対をなす電極が下側からあてがわれた状態で、両電極間に電圧が印加されることにより、当該交差部分で前記導体３１，３２と配線材接続部１４とが溶接され、互いに電気的に接続される。
【００４７】
なお、本発明はワイヤハーネス用ジョイントコネクタの組立手順について限定されない。例えば、予めコネクタ端子とフレキシブル配線材とを接続しておいてから当該コネクタ端子を前記コネクタハウジングにセットすることにより組立てられたものも、本発明の範囲に含まれる。
【００４８】
５）カバー４０がそのヒンジ部４６で折り曲げられることにより、当該カバー４０の配線材側被覆部４２及び端子側被覆部４４が前記絶縁ハウジング２０の配線材保持部２４を挟みこむ状態が形成され、この状態でカバー４０が前記絶縁ハウジング２０に被着される。すなわち、カバー４０側の突起４４ａ，４２ｂが係止孔２５ａ，２５ｂに嵌入され、被係止片４４ｂが係止穴２４ｂの周縁に係合される。このとき、カバー４０の各係止軸挿入孔４７への各係止軸２７の端部の挿入が当該係止軸２７からのフレキシブル配線材３０の逸脱の防止を確実にする。この工程により、ワイヤハーネス用コネクタが完成する。
【００４９】
６）前記ワイヤハーネス用コネクタが図１１に示すようなワイヤハーネス５０の本体外周面に巻き付けられる。具体的には、前記フレキシブル配線材３０よりも前記ハウジング連結部２６Ａ，２６Ｂが外側となる向きでこれらフレキシブル配線材３０及びハウジング連結部２６Ａ，２６Ｂが曲げ変形することにより、前記単位コネクタＣ１，Ｃ２，Ｃ３，Ｃ４がワイヤハーネス５０の本体周方向に並ぶ姿勢で当該ワイヤハーネス本体の周囲に前記ワイヤハーネス用ジョイントコネクタが巻付けられる。このワイヤハーネス用ジョイントコネクタの巻付け状態は、例えば、当該ジョイントコネクタの周囲への図１１に示すような粘着テープ６０の巻付けによって固定される。
【００５０】
７）図４や図１１に示すように、各単位コネクタＣ１，Ｃ２，Ｃ３，Ｃ４に対し、前記ワイヤハーネス５０に含まれる電線５２の端末に設けられたコネクタ５４のうちの対応するコネクタ５４が結合される。このようなコネクタ結合操作によって、前記電線５２のうちの適当な電線同士が、前記コネクタ端子１０とフレキシブル配線材３０の導体３１，３２とによって構成されるジョイント回路を介して相互に電気的に接続される。
【００５１】
以上示したワイヤハーネス用ジョイントコネクタは、それぞれが絶縁ハウジング２０を有する複数個の単位コネクタＣ１〜Ｃ４に分割されているので、単一の絶縁ハウジング２０のみを具備するコネクタに比べ、各単位コネクタＣ１〜Ｃ４の絶縁ハウジング２０の小型化が可能である。しかも、各単位コネクタＣ１〜Ｃ４のコネクタ端子１０は、前記絶縁ハウジング２０の枠部である配線材保持部２４の内側の領域で前記フレキシブル配線材３０の導体３１，３２と交差する位置で接続され、かつ、このフレキシブル配線材３０の曲げ変形がワイヤハーネス本体の周囲へのコネクタの巻付けを可能にする。
【００５２】
さらに、絶縁ハウジング２０に装着されるカバー４０が前記コネクタ端子１０と前記フレキシブル配線材３０の導体との接続箇所を覆うことにより当該接続箇所を外部から保護する。このカバー４０は、配線材保持部２４の曲げ変形に伴って変位しやすいが、この配線材保持部２４の曲げ変形、特にコネクタ端子１０の軸方向及び配列方向の双方と直交する方向に曲げ変形が当該配線材保持部２４の根元部分に突設された補強用リブ２１によって抑制されるので、この曲げ変形に起因して前記カバー４０が変位してその前記カバー４０の被係止部である突起４４ａ，４２ａが前記係止部２５ａ，２５ｂから誤って抜け出てしまうことが防がれる。
【００５３】
特に、図１に示されるように、前記補強用リブ２１が、端子保持部側係止部である係止孔２５ａと前記枠部側係止部である係止穴２４ｂの周縁との間の領域Ｌ′内で前記コネクタ端子の軸方向と平行な方向に延び、かつ、同方向について前記領域内での前記補強用リブ２１の長さ寸法Ｌが当該領域Ｌ′の長さの１／２以上であるものにおいては、当該補強用リブ２１が前記両係止部間での配線材保持部２４の曲げ変形を有効に抑制して当該曲げ変形に起因する前記両係止部からの前記カバー４０の離脱を効果的に抑止する。
【００５４】
なお、本発明は以上の実施の形態に限られず、例えば次のような実施の形態も含むものである。
【００５５】
・本発明に係る単位コネクタの結合相手は特に問わない。例えば、本発明に係るコネクタは、前記ワイヤハーネス５０以外のワイヤハーネスから導かれるコネクタに結合される単位コネクタを含むものでもよい。
【００５６】
・本願請求項１の「ワイヤハーネスの本体の周方向に並ぶ姿勢」とは、各コネクタハウジングが互いに当該周方向に位置をずらして並ぶ姿勢を広く意味するものであり、当該周方向だけでなく軸方向にもコネクタハウジング同士の位置がずれているものも含む趣旨である。例えば、本発明は、複数の単位コネクタが螺旋状に配列された状態でワイヤハーネス５０の本体の周囲に巻かれるワイヤハーネス用コネクタも含む。また、各単位コネクタの具体的な個数も仕様に応じて適宜選定が可能な要素である。
【図面の簡単な説明】
【００５７】
【図１】本発明の実施の形態に係るワイヤハーネス用ジョイントコネクタの平面図である。
【図２】前記ワイヤハーネス用ジョイントコネクタの正面図である。
【図３】前記ワイヤハーネス用ジョイントコネクタの底面図である。
【図４】（ａ）は図２のＡ−Ａ線断面図、（ｂ）は（ａ）のＢ−Ｂ線断面図である。
【図５】（ａ）は前記ワイヤハーネス用ジョイントコネクタに含まれるコネクタ端子の平面図、（ｂ）はその側面図、（ｃ）は前記コネクタ端子とフレキシブル配線材との位置関係を示す平面図である。
【図６】前記ワイヤハーネス用ジョイントコネクタに含まれる絶縁ハウジングの底面図である。
【図７】前記ワイヤハーネス用ジョイントコネクタの絶縁ハウジング及びハウジング連結部を示す斜視図である。
【図８】前記ワイヤハーネス用ジョイントコネクタの絶縁ハウジング及びハウジング連結部を示す平面図である。
【図９】（ａ）は前記ワイヤハーネス用ジョイントコネクタに含まれるカバーの側面図、（ｂ）は同カバーを表面側から見た図である。
【図１０】（ａ）は前記カバーの平面図、（ｂ）は前記カバーを裏面側から見た図、（ｃ）は前記カバーの底面図である。
【図１１】（ａ）は前記ワイヤハーネス用ジョイントコネクタをワイヤハーネス本体周囲に巻き付けた状態を示す断面正面図、（ｂ）はその側面図である。
【符号の説明】
【００５８】
Ｃ１，Ｃ２，Ｃ３，Ｃ４  単位コネクタ
１０    コネクタ端子
１２    電気接続タブ
１４    配線材接続部
２０    絶縁ハウジング
２１    補強用リブ
２２    フード
２４    配線材保持部（枠部）
２４ａ  係止凹部
２４ｂ  係止穴（枠部側係止部）
２４ｄ  端子保持溝
２５    端子保持部
２５ａ  係止孔（端子保持部側係止部）
２５ｂ  係止孔
２５ｄ  背面
２６Ａ，２６Ｂ  ハウジング連結部
２７    係止軸
２８    間隙
３０    フレキシブル配線材
３１    導体
３２    導体
３４    絶縁層
３４ａ  窓
３７    貫通孔
４０    カバー
４２    配線材側被覆部
４２ｂ  突起（被係止部）
４４    端子側被覆部
４４ａ  突起（被係止部）
４６    ヒンジ部
５０    ワイヤハーネス
５２    電線
５４    コネクタ
【図１】
2008108658.tif 000003
【図２】
2008108658.tif 000004
【図３】
2008108658.tif 000005
【図４】
2008108658.tif 000006
【図５】
2008108658.tif 000007
【図６】
2008108658.tif 000008
【図７】
2008108658.tif 000009
【図８】
2008108658.tif 000010
【図９】
2008108658.tif 000011
【図１０】
2008108658.tif 000012
【図１１】
2008108658.tif 000013